(57)【要約】【課題】印刷したラベルを貼った対象物がある場所にかかわらず、ラベルに印刷された日時にラベルの印刷内容をユーザに気付いてもらうことが可能なラベル印刷装置およびラベル印刷プログラムを提供すること。【解決手段】ラベルを印刷するラベル印刷装置において、前記ラベルに印刷する印刷データを入力する印刷データ入力手段と、前記印刷データ入力手段によって入力された前記印刷データに日時又は日付を示す日時データが含まれると判断された場合、前記日時データを含む送信データを携帯端末に送信するデータ送信手段とを備えることを特徴とする。【選択図】図３
2017170686.tif 000002
【特許請求の範囲】
【請求項１】
ラベルを印刷するラベル印刷装置において、
前記ラベルに印刷する印刷データを入力する印刷データ入力手段と、
前記印刷データ入力手段によって入力された前記印刷データに日時又は日付を示す日時データが含まれると判断された場合、前記日時データを含む送信データを携帯端末に送信するデータ送信手段と、
を備えることを特徴とするラベル印刷装置。
【請求項２】
前記データ送信手段により送信された前記送信データを前記携帯端末が受信したことを示す受信成功情報を、前記携帯端末から受信する受信成功情報受信手段と、
前記印刷データ入力手段によって入力された印刷データに基づいて、所定形式のラベル情報を作成するラベル情報作成手段と、
前記ラベル情報作成手段によって作成されたラベル情報を、被印刷媒体上に印刷する印刷手段と、
を更に備え、
前記ラベル情報作成手段は、前記データ送信手段によって前記送信データを送信した後第１の時間内に前記受信成功情報受信手段によって前記受信成功情報を受信しなかった場合、前記受信成功情報を受信しなかったことを示す受信失敗情報を作成し、
前記印刷手段は、前記ラベル情報と共に前記受信失敗情報を前記被印刷媒体上に印刷する、
ことを特徴とする請求項１に記載のラベル印刷装置。
【請求項３】
前記送信データは、ラベル印刷装置識別番号、ラベル番号及びラベル付属データを含むことを特徴とする請求項１または２に記載のラベル印刷装置。
【請求項４】
前記データ送信手段は、前記印刷データと共に前記ラベル情報作成手段によって作成されたラベル情報及び前記日時に報知するための報知データのいずれか一方を前記携帯端末に送信する、ことを特徴とする請求項１乃至３の何れか１項に記載のラベル印刷装置。
【請求項５】
前記送信データを作成する送信データ作成手段と、
前記印刷データ入力手段によって入力された前記印刷データに日時又は日付を示す日時データが含まるかの判断を行う判断手段と、
を備え、
前記送信データ作成手段は、前記判断手段によって前記印刷データに前記日時データが含まれると判断された場合、前記送信データを作成する、ことを特徴とする請求項２に記載のラベル印刷装置。
【請求項６】
ラベルを印刷するラベル印刷装置におけるラベル印刷プログラムであって、
前記ラベル印刷装置のコンピュータを、
前記ラベルに印刷する印刷データを入力する印刷データ入力手段、
前記印刷データ入力手段によって入力された前記印刷データに日時又は日付を示す日時データが含まれると判断された場合、前記日時データを含む送信データを携帯端末に送信する印刷データ送信手段、
として機能させるためのラベル印刷プログラム。
【請求項７】
ラベルを印刷するラベル印刷装置において実行されるラベル印刷方法であって、
前記ラベルに印刷する印刷データを入力し、
前記入力された前記印刷データに日時又は日付を示す日時データが含まれると判断された場合、前記日時データを含む送信データを携帯端末に送信する、
ことを特徴とするラベル印刷方法。
【請求項８】
互いに通信可能なラベル印刷装置と携帯端末を備えたラベル印刷システムにおいて、
ラベルを印刷する前記ラベル印刷装置は、
前記ラベルに印刷する印刷データを入力する印刷データ入力手段と、
前記印刷データ入力手段によって入力された前記印刷データに日時又は日付を示す日時データが含まれると判断された場合、前記日時データを含む送信データを前記携帯端末に送信するデータ送信手段と、
を備え、
前記携帯端末は、前記ラベル印刷装置から送信された送信データを受信して、前記送信データに含まれる日時又は日付にアラーム報知するためのアラームセットを行う、
ことを特徴とするラベル印刷システム。
【発明の詳細な説明】
【技術分野】
【０００１】
本発明は、印刷データをテープに印刷して切断することで、ラベルを作成するラベル印刷装置、ラベル印刷装置において実行するラベル印刷プログラムおよびラベル印刷方法、並びにラベル印刷システムに関する。
【背景技術】
【０００２】
従来、サーマルヘッドに配設された発熱素子を発熱駆動することにより、任意の文字、絵柄等を含む印刷データを、ロール状に巻かれた長尺状のテープに印刷し、該テープを切断することでラベルを容易に作成することが可能なラベル印刷装置が用いられている。ラベル印刷装置は、長尺状のテープがサーマルヘッドとプラテンローラとの間にインクリボンとともに搬送され、インクリボンのうちサーマルヘッドにより加熱された部分が、文字、絵柄等を含む描画図案として長尺状のテープの表面に熱転写されることで印刷を行う。このようなラベル印刷装置においては、サーマルヘッドを印刷データの各１ラインデータに応じて発熱駆動すると同時に、インクリボンおよびテープを１ドットラインずつ搬送させることにより、印刷データを順次１ドットラインずつ印刷出力している。
【０００３】
このようなラベル印刷装置では、例えば、「交換時期：２０１８年１月３１日」、「返却期限：２０１６年６月３０日２０時」のように「日付」や「日時」を含むラベルを印刷することがある（例えば、特許文献１参照。）。これは、その時期や期限をユーザが気付きやすくするためである。
【先行技術文献】
【特許文献】
【０００４】
【特許文献１】特開２０１２−１６２０１６号公報
【発明の概要】
【発明が解決しようとする課題】
【０００５】
しかしながら、印刷したラベルを貼った対象物の置いてある場所によっては、折角貼ったラベルを見る機会が少ない場合がある。例えば、対象物が倉庫や棚の中に保管されているような場合などがそうである。このような場合には、ユーザがその日付や日時になったことに気付かない、という問題点がある。
【０００６】
本発明は、上述のような実状に鑑みたものであり、印刷したラベルを貼った対象物がある場所にかかわらず、ラベルに印刷された日付や日時にラベルの印刷内容をユーザに気付いてもらうことが可能なラベル印刷装置、ラベル印刷装置において実行するラベル印刷プログラムおよびラベル印刷方法、並びにラベル印刷システムを提供することを目的とする。
【課題を解決するための手段】
【０００７】
本発明は、上記課題を解決するため、下記のような構成を採用した。
すなわち、本発明の一態様によれば、本発明のラベル印刷装置は、ラベルを印刷するラベル印刷装置において、前記ラベルに印刷する印刷データを入力する印刷データ入力手段と、前記印刷データ入力手段によって入力された前記印刷データに日時又は日付を示す日時データが含まれると判断された場合、前記日時データを含む送信データを携帯端末に送信するデータ送信手段とを備えることを特徴とする。
【０００８】
また、本発明のラベル印刷装置は、前記データ送信手段により送信された前記送信データを前記携帯端末が受信したことを示す受信成功情報を、前記携帯端末から受信する受信成功情報受信手段と、前記印刷データ入力手段によって入力された印刷データに基づいて、所定形式のラベル情報を作成するラベル情報作成手段と、前記ラベル情報作成手段によって作成されたラベル情報を、被印刷媒体上に印刷する印刷手段と、を更に備え、前記ラベル情報作成手段が、前記データ送信手段によって前記送信データを送信した後第１の時間内に前記受信成功情報受信手段によって前記受信成功情報を受信しなかった場合、前記受信成功情報を受信しなかったことを示す受信失敗情報を作成し、前記印刷手段が、前記ラベル情報と共に前記受信失敗情報を前記被印刷媒体上に印刷することが望ましい。
【０００９】
また、本発明のラベル印刷装置は、前記送信データが、ラベル印刷装置識別番号、ラベル番号及びラベル付属データを含むことが望ましい。
【００１０】
また、本発明のラベル印刷装置は、前記データ送信手段が、前記印刷データと共に前記ラベル情報作成手段によって作成されたラベル情報及び前記日時に報知するための報知データのいずれか一方を前記携帯端末に送信することが望ましい。
【００１１】
また、本発明のラベル印刷装置は、前記送信データを作成する送信データ作成手段と、前記印刷データ入力手段によって入力された前記印刷データに日時又は日付を示す日時データが含まるかの判断を行う判断手段とを備え、前記送信データ作成手段が、前記判断手段によって前記印刷データに前記日時データが含まれると判断された場合、前記送信データを作成することが望ましい。
【００１２】
また、本発明の一態様によれば、本発明のラベル印刷プログラムは、ラベルを印刷するラベル印刷装置におけるラベル印刷プログラムであって、前記ラベル印刷装置のコンピュータを、前記ラベルに印刷する印刷データを入力する印刷データ入力手段、前記印刷データ入力手段によって入力された前記印刷データに日時又は日付を示す日時データが含まれると判断された場合、前記日時データを含む送信データを携帯端末に送信する印刷データ送信手段として機能させるためのラベル印刷プログラムである。
【００１３】
また、本発明の一態様によれば、本発明のラベル印刷方法は、ラベルを印刷するラベル印刷装置において実行されるラベル印刷方法であって、前記ラベルに印刷する印刷データを入力し、前記入力された前記印刷データに日時又は日付を示す日時データが含まれると判断された場合、前記日時データを含む送信データを携帯端末に送信することを特徴とする。
【００１４】
また、本発明の一態様によれば、本発明のラベル印刷システムは、互いに通信可能なラベル印刷装置と携帯端末を備えたラベル印刷システムにおいて、ラベルを印刷する前記ラベル印刷装置が、前記ラベルに印刷する印刷データを入力する印刷データ入力手段と、前記印刷データ入力手段によって入力された前記印刷データに日時又は日付を示す日時データが含まれると判断された場合、前記日時データを含む送信データを前記携帯端末に送信するデータ送信手段とを備え、前記携帯端末が、前記ラベル印刷装置から送信された送信データを受信して、前記送信データに含まれる日時又は日付にアラーム報知するためのアラームセットを行うことを特徴とする。
【発明の効果】
【００１５】
本発明によれば、印刷したラベルを貼った対象物がある場所にかかわらず、ラベルに印刷された日付や日時にラベルの印刷内容をユーザに容易に気付いてもらうことができる、という効果を奏する。
【図面の簡単な説明】
【００１６】
【図１】実施の形態に係るラベル印刷装置を示す外観図である。
【図２】実施の形態に係るラベル印刷装置のハードウェアブロック図である。
【図３】実施の形態に係るラベル印刷装置の機能ブロック図である。
【図４】実施の形態に係る携帯端末の機能ブロック図である。
【図５】実施の形態に係るラベル印刷処理の流れを示すフローチャートである。
【図６】ラベル印刷装置が携帯端末に送信するデータの例を示す図である。
【図７】実施の形態に係るラベル印刷処理の適用例を示す図である。
【発明を実施するための形態】
【００１７】
本発明の実施の形態は、ラベルに印刷される日時情報（時刻および／または日付）を何らかの期限（発送日／返却日／連絡期限／提出期限／交換時期など）と想定し、その日時情報を携帯電話機、スマートフォン（高機能携帯電話機）等の携帯端末にアラーム報知させることを特徴とする。
【００１８】
以下、本発明の実施の形態について、図面を参照しながら詳細に説明する。
図１は、実施の形態に係るラベル印刷装置を示す外観図である。
【００１９】
図１に示すように、ラベル印刷装置１は、装置筐体２、入力部３、表示部４、開閉蓋１７、およびカセット収納部１８を備える。なお、ラベル印刷装置１は、入力部３と表示部４を不図示の外部装置（例えばコンピュータ）が備え、印刷対象である所望の描画図案の印刷データ（任意の文字、絵柄等を含む）を、その外部装置から受信する形態の印刷装置であってもよい。
【００２０】
装置筐体２の上面には、入力部３、表示部４、および開閉蓋１７が配置されている。装置筐体２の右側面には、被印刷媒体Ｍの排出口２ａが形成されている。被印刷媒体Ｍは、例えば、予めロール状に巻かれた長尺状のテープである。
【００２１】
入力部３は、文字、絵柄等を含む所望の描画図案を入力する入力キー、印刷開始を指示する印刷キー、表示部４の表示画面上のカーソルを移動操作するカーソルキー、印刷モードの設定や各種設定処理を行う種々の制御キーなどのいずれかまたは全部を備える。なお、上述の入力キーは、文字データを入力する文字入力キーを含む。
【００２２】
表示部４は、例えば液晶表示パネルであり、入力部３からの入力に対応する文字を含む画像、各種の設定のための選択メニュー、各種の処理に関するメッセージ等を表示する。
【００２３】
開閉蓋１７は、カセット収納部１８の上部において、カセット収納部１８を開閉可能に配置されている。開閉蓋１７は、例えば、ボタン１７ａを押下されることにより開放する。また、開閉蓋１７には、この開閉蓋１７が閉じた状態でもカセット収納部１８に収納するカセットの有無を目視可能とするために、窓部１７ｂが形成されている。なお、カセット収納部１８には、被印刷媒体Ｍを収容するカセットが着脱自在に収納される。
【００２４】
図２は、実施の形態に係るラベル印刷装置のハードウェアブロック図である。
図２に示すように、ラベル印刷装置１は、上述の入力部３および表示部４の他、制御部５、ＲＯＭ（Read Only Memory）６、ＲＡＭ（Random Access Memory）７、表示部駆動回路８、ヘッド駆動回路９、描画ヘッド部の一例であるサーマルヘッド部１９、搬送用モータ駆動回路１１、搬送用モータ１２、搬送ローラ１３、カッターモータ駆動回路１４、カッターモータ１５、カット機構１６、および通信部２０を備える。
【００２５】
なお、ラベル印刷装置１は、例えば、図１に示す被印刷媒体Ｍに、印刷データに基づいて、所望の描画図案を印刷後、被印刷媒体Ｍを切断することにより、所望の描画図案が印刷された印刷物を作成する。例えば、長尺状のテープは、任意の文字、絵柄等を含む所望の描画図案の印刷が行われてから、テープ片（ラベル）として切り出される。また、長尺状のテープは、例えば、接着層を有する基材と、接着層を覆うように剥離可能に基材に貼付された剥離紙とを有し、熱転写用のインクリボンとともにサーマルヘッド部１９へ搬送される。ただし、ラベル印刷装置１は、ロール状に巻かれずに積層された状態で収容される枚葉紙などの他の被印刷媒体に印刷を行う装置であってもよい。
【００２６】
制御部５は、例えばＣＰＵ（Central Processing Unit）であって、入力部３からのキー操作信号に応じて、または、ＲＯＭ６に予め記憶されているシステムプログラム、メモリカードに記憶された制御プログラム、外部機器から読み込まれた制御プログラム等を自動で起動させ、ＲＡＭ７をワークメモリとして回路各部の動作を制御する。
【００２７】
制御部５には、入力部３、ＲＯＭ６、ＲＡＭ７、表示部４を駆動する表示部駆動回路８、サーマルヘッド部１９を駆動するヘッド駆動回路９、搬送用モータ１２を駆動する搬送用モータ駆動回路１１と、カッターモータ１５を駆動するカッターモータ駆動回路１４とが接続されている。なお、搬送用モータ１２は、搬送ローラ１３を駆動する。また、カッターモータ１５は、カット機構１６を稼働する。
【００２８】
ＲＯＭ６は、ヘッド駆動回路９によってサーマルヘッド部１９に所望の描画図案を被印刷媒体Ｍへ印刷させるためのプログラム、印刷対象となる描画図案に含まれる文字、記号、絵文字等の元データやサイズ情報、印刷フォント等を記憶する。また、ＲＯＭ６は、制御部５によって読取り可能なプログラムが記憶された記憶媒体としても機能する。
【００２９】
ＲＡＭ７は、印刷対象となる所望の描画図案に含まれる文字、記号、絵文字やそれらのサイズ、文字間隔等を指定する情報、作成される印刷物の大きさ等の印刷情報を記憶する入力データメモリとして機能する。また、ＲＡＭ７は、入力されたそれらの印刷情報に基づいて生成され、所望の描画図案を表す印刷データを記憶する印刷データメモリとして機能するとともに、表示部４に表示され、所望の描画図案を表す表示用パターンデータを記憶する表示データメモリ等としても機能する。また、ＲＡＭ７は、印刷処理等に必要なデータを一時的に記憶するレジスタやカウンタ等を備える。
【００３０】
ヘッド駆動回路９は、ＲＡＭ７に記憶された印刷データに基づいてサーマルヘッド部１９を制御する。サーマルヘッド部１９は、この制御に応じて、熱転写により被印刷媒体Ｍに所望の描画図案を印刷する。
【００３１】
搬送用モータ駆動回路１１は、ＲＡＭ７に記憶された印刷データに基づいてステップモータを制御することによって、搬送ローラ１３を制御し、サーマルヘッド部１９による被印刷媒体Ｍへの印刷中、所望の速度で当該被印刷媒体Ｍを搬送させる。
【００３２】
カッターモータ駆動回路１４は、カット機構１６の動作を制御する。このカット機構１６は、被印刷媒体Ｍを搬送方向に直交する幅方向に切断することによって、作成した印刷物を被印刷媒体Ｍから分離させる。なお、カット機構１６は、被印刷媒体Ｍが、複数の層（例えば、基材、剥離紙など）を有する場合には、一部の層（例えば、基材）のみを幅方向に切断してもよい。
【００３３】
通信部２０は、図３を用いて説明する携帯端末３０との間で通信を行う。例えば、ラベルを作成（印刷および切断）した際、日時情報を携帯端末３０に送信し、携帯端末３０が日時情報を受信したことを示す情報を受信する。
【００３４】
なお、ラベル印刷装置１の上述の構成はあくまで一例であって、プラテンローラ、保持部材によって保持される描画ヘッド部の一例であるサーマルヘッド部１９、サーマルヘッド部１９を移動させるヘッド移動機構を備えるものであれば適宜構成を変更してもよい。
【００３５】
図３は、実施の形態に係る携帯端末の機能ブロック図である。
図３に示すように、携帯端末３０は、制御部３１、ＲＯＭ（Read Only Memory）３２、ＲＡＭ（Random Access Memory）３３、タッチ操作部３４、表示部３５、通信部３６、電話部３７、報知部３８、およびカメラ部３９を備える。
【００３６】
制御部３１は、例えばＣＰＵであって、タッチ操作部３４からの操作信号に応じて、または、ＲＯＭ３２に予め記憶されているシステムプログラム、メモリカードに記憶された制御プログラム、外部機器から読み込まれた制御プログラム等を自動で起動させ、ＲＡＭ３３をワークメモリとして回路各部の動作を制御する。
【００３７】
ＲＯＭ３２は、例えば、フラッシュメモリ等の不揮発性メモリであり、制御部３１が各種機能を制御するためのプログラムやデータを保存する。
【００３８】
ＲＡＭ３３は、例えば、揮発性メモリであり、制御部３１が各種処理を行うためにデータを一時的に記憶するための作業領域として用いられる。
【００３９】
タッチ操作部３４は、ユーザの操作内容を受け付けるために用いられるインタフェースであって、表示部３５と一体形成されている。
【００４０】
表示部３５は、例えば、ＬＣＤ（Liquid Crystal Display）、ＥＬ（Electroluminescence）ディスプレイ、ドライバ等によって構成され、各種情報を表示する。
【００４１】
通信部３６は、例えば、無線周波数（ＲＦ：Radio Frequency）回路、ベースバンド（ＢＢ：Baseband）回路、メモリ回路等を用いて構成され、電子メール機能、インターネット接続機能などの動作時に最寄りの基地局との間でデータの送受信を行う。また、通信機能を備えた外部機器、例えば、ラベル印刷装置１から日時情報を受信し、日時情報を受信したことを示す情報をラベル印刷装置１に送信する。
【００４２】
電話部３７は、電話機能を用いて音声の入出力を行い、また、着信時には報知部３８を駆動して着信報知を行う。
【００４３】
報知部３８は、サウンドスピーカ、振動モータ（バイブレータ）、ＬＥＤ（発光部）を備え、音声、振動、光等を利用した各種情報を出力する。例えば、予め設定されているアラーム日時に到達した際にアラーム報知を行う。
【００４４】
カメラ部３９は、動画または静止画を撮影する撮影機能、および特性識別情報であるＱＲコード（登録商標）等の二次元バーコードを読み取り、デコードする。
【００４５】
図４は、実施の形態に係るラベル印刷装置の機能ブロック図である。
図４に示すように、ラベル印刷装置１は、印刷データ入力手段４１およびデータ送信手段４４を備える。また、ラベル印刷装置１は、更に判断手段４２、データ作成手段４３、ラベル情報作成手段４５、印刷手段４６、および受信成功情報受信手段４７を備えることもある。
【００４６】
印刷データ入力手段４１は、ラベルに印刷するための印刷データを、入力部３を用いて入力する。印刷データは、任意の文字、絵柄等を含む。
【００４７】
判断手段４２は、印刷データ入力手段４１によって入力された印刷データに日時情報（時刻および／または日付）を示す日時データが含まるか否かを判断する。例えば、入力された印刷データに、「交換時期：２０１８年１月３１日」、「返却期限：２０１６年６月３０日２０時」のような「日付」や「日時」を示すデータが含まれているか否かを判断する。例えば、予め定めた所定の形式と比較することにより、入力された印刷データに日時を示す日時データが含まるか否かを判断する。
【００４８】
データ作成手段４３は、日時データを含む送信データを作成する。前記印刷データ入力手段４１によって入力された印刷データに日時データが含まれると判断された場合、送信データを作成する。印刷データに日時データが含まれるか否かの判断は、例えば、判断手段４２によって判断される。
【００４９】
データ送信手段４４は、データ作成手段４３によって作成された送信データを携帯端末３０に送信する。送信される送信データは、携帯端末３０が予め設定されているアラーム日時に到達した際にアラーム報知を行うためのアラームセット信号（報知データ）を含むことも可能である。アラームセット信号は、日時データに含まれなくても良く、日時データと別に携帯端末３０に送信することも可能である。
【００５０】
ラベル情報作成手段４５は、印刷データ入力手段４１によって入力された印刷データに基づいて、所定形式のラベル情報を作成する。
【００５１】
印刷手段４６は、ラベル情報作成手段４５によって作成されたラベル情報を、被印刷媒体Ｍ上に印刷する。例えば、インクリボンに塗布された染料をインクリボンと重畳させた被印刷媒体Ｍ上に転写する。
【００５２】
このように、携帯端末３０がラベル印刷装置１から送信された時刻情報に基づいてアラーム報知するので、ラベルの貼られた対象物が倉庫に保管されていたり、棚に収納されていたりしてユーザが直接対象物を見る機会が少ないような場合であっても、ユーザはラベルに印刷された日時に気付くことができる。
【００５３】
また、受信成功情報受信手段４７は、データ送信手段４４により送信された送信データを携帯端末３０が受信したことを示す受信成功情報を、携帯端末３０から受信する。この場合、ラベル情報作成手段４５は、データ送信手段４４によって送信データを送信した後所定の時間内に受信成功情報受信手段４７によって受信成功情報を受信しなかった場合、受信成功情報を受信しなかったことを示す受信失敗情報を作成する。受信失敗情報としては、例えば、データ送信手段４４を用いて携帯端末３０に送信した送信データ（日時データ含む）を、特性識別情報であるＱＲコード（登録商標）等の二次元バーコードにエンコードしたデータである。そして、印刷手段４６は、ラベル情報と共に受信失敗情報を被印刷媒体Ｍ上に転写する。
【００５４】
このように、ラベル作成の際に日時データの通信に失敗した場合であっても、ユーザは、事後的に携帯端末３０で受信失敗情報（二次元バーコード）を読み込むことにより日時情報を取り込み、アラームセットすることができる。
【００５５】
また、データ送信手段４４は、送信データと共にラベル情報作成手段４５によって作成されたラベル情報を携帯端末３０に送信する。
【００５６】
これにより、ユーザは、携帯端末３０がアラーム報知した際に、印刷データの内容を視覚的に認識することができる。
【００５７】
図５は、実施の形態に係るラベル印刷処理の流れを示すフローチャートである。図６は、ラベル印刷装置が携帯端末に送信するデータ（送信データ）の例を示す図である。これらの図５乃至図６を用いて、上述したラベル印刷装置１が実行するラベル印刷処理について説明する。なお、以下で説明するラベル印刷処理は、制御部５により実行される。
【００５８】
まず、ラベル印刷装置１が備える制御部５は、図５のステップＳ５０１において、ラベルに印刷するための印刷データを、入力部３を用いて入力する。入力される印刷データは、例えば、用件、場所、日時等のデータである。用件とは、「発送」「返却」「連絡」「提出」「交換」等である。場所とは、「倉庫」「棚」「机の引き出し」等である。日時とは、「２０１８年１月３１日」「２０１６／６／３０」「Ｈ２８−０３−１８」等の「日付」、または「２０時」「１５：３０」「８時２５分」等の「時刻」の何れか、若しくは双方を含む。
【００５９】
制御部５は、ステップＳ５０２において、印刷データの入力が終了したか否かを判断する。例えば、ユーザにより「印刷実行ボタン」が選択または押下されたことにより、入力が終了したと判断する。
【００６０】
未だ印刷データの入力が終了していないと判断されている間は（ステップＳ５０２：ＮＯ）、ステップＳ５０１に戻り、印刷データの入力を続行する。
【００６１】
他方、「印刷実行ボタン」の押下等により、印刷データの入力が終了した判断された場合（ステップＳ５０２：ＹＥＳ）、制御部５は、ステップＳ５０３において、入力された印刷データに、上述のような日時データが含まれているか否かを判断する。
【００６２】
印刷データに日時データが含まれていないと判断された場合（ステップＳ５０３：ＮＯ）、制御部５は、ステップＳ５０４において、印刷対象となる所望の描画図案に含まれる文字、記号、絵文字やそれらのサイズ、文字間隔等を指定する情報、作成される印刷物の大きさ等の印刷情報をＲＡＭ７から読み出し、入力された印刷データに基づいてラベル情報を作成する。
【００６３】
そして、制御部５は、ステップＳ５０５において、ステップＳ５０４で作成されたラベル情報を、インクリボンに塗布された染料をインクリボンと重畳させた被印刷媒体Ｍ上に転写することでラベル印刷を実行し、ラベル印刷処理を終了する。
【００６４】
他方、ステップＳ５０３で印刷データに日時データが含まれていると判断された場合（ステップＳ５０３：ＹＥＳ）、制御部５は、ステップＳ５０６において、日時データを含む送信データ（図６を参照。）を作成し、携帯端末３０に送信する。送信データに含まれる「用件」および「場所」データを受信した携帯端末３０が、日時データの「日時」にアラーム報知することにより、ユーザはラベルを貼った対象物が何の「用件」で何処に「場所」に置いてあるかを知ることができる。なお、図６に示すように、ラベル印刷装置１が作成し、携帯端末３０に送信するデータ（送信データ）には、「ラベル印刷装置認識番号」および「ラベルＮｏ.（ラベル番号）」を含めることもできる。「ラベル印刷装置認識番号」は、１台の携帯端末３０に対して複数のラベル印刷装置１から送信データが送信されるような場合を想定し、ラベル印刷装置１を識別するための識別番号である。また、「ラベルＮｏ.（ラベル番号）」は、個別のラベルを識別するための番号となる。例えば、「２０１５０３３０−１」（２０１５年３月３０日のラベルの１枚目）のように番号を割り振り、個別のラベルを識別する。
【００６５】
制御部５は、ステップＳ５０７において、ステップＳ５０６で送信データを携帯端末３０に送信してから所定時間が経過かしたか否かを判断する。所定時間が経過するまで、ステップＳ５０７をループ（ステップＳ５０７：ＮＯ）する。送信データを携帯端末３０が受信したことを示す受信成功情報が送信されてくるまでのタイムラグがあるからである。
【００６６】
所定時間が経過したと判断されると（ステップＳ５０７：ＹＥＳ）、制御部５は、ステップＳ５０８において、送信データを携帯端末３０が受信したことを示す受信成功情報を受信したか否かを判断する。
【００６７】
受信成功情報を受信したと判断された場合（ステップＳ５０８：ＹＥＳ）、ステップＳ５０４でのラベル情報の作成、ステップＳ５０５でのラベル印刷を実行して、ラベル印刷処理を終了する。
【００６８】
他方、受信成功情報を受信しなかったと判断された場合（ステップＳ５０８：ＮＯ）、制御部５は、ステップＳ５０９において、ステップＳ５０６で携帯端末３０に送信した送信データ（日時データ含む）をエンコードし、特性識別情報であるＱＲコード（登録商標）等の二次元バーコードを受信失敗情報として作成する。
【００６９】
ステップＳ５０９で受信失敗情報が作成された場合、制御部５は、ステップＳ５０４において、印刷対象となる所望の描画図案に含まれる文字、記号、絵文字やそれらのサイズ、文字間隔等を指定する情報、作成される印刷物の大きさ等の印刷情報をＲＡＭ７から読み出し、入力された印刷データに基づいてラベル情報を作成する。
【００７０】
そして、制御部５は、ステップＳ５０５において、ステップＳ５０９で作成された受信失敗情報およびステップＳ５０４で作成されたラベル情報を、インクリボンに塗布された染料をインクリボンと重畳させた被印刷媒体Ｍ上に転写することでラベル印刷を実行し、ラベル印刷処理を終了する。
【００７１】
図７は、実施の形態に係るラベル印刷処理の適用例を示す図である。
図７「Ｓｔｅｐ１」に示すように、ラベル印刷装置１は、例えば、６月３０日に返却する荷物に貼るために、入力された印刷データに基づいて、「６月３０日  返却」のようなラベルを作成する。そして、図７「Ｓｔｅｐ２」に示すように、ラベル印刷装置１は、時刻や日付のラベルを作成した場合、その時刻や日付のデータを携帯端末３０に送信する。携帯端末３０では、図７「Ｓｔｅｐ３」に示すように、ラベル印刷装置１から送信されてきた時刻や日付でアラームをセットする。これにより、携帯端末３０は、図７「Ｓｔｅｐ４」に示すように、アラームがセットされた時刻や日付になると、「６月３０日  返却」というようなラベル内容と共にアラーム報知する。
【００７２】
なお、上述の携帯端末３０は、携帯電話機、スマートフォン（高機能携帯電話機）の他、表示機能、通信機能およびアラーム機能を備えた腕時計、携帯情報端末、またはパーソナルコンピュータ等であってもよい。
なお、上記実施の形態では、印刷データに日時データが含まれていると判断された場合に、日時データを含む送信データを携帯端末３０に送信することとしたが、必ずしも日時データを含む送信データを携帯端末３０に送信しなくても良く、送信するか否かの判断を適宜ユーザに任せても良い。例えば、ステップＳ５０２の判断の後またはステップＳ５０３の判断の後に、送信データを携帯端末３０に送るか否かの選択表示画面を表示部３５に表示させて、送信するかの選択をユーザにさせても良い。また、日時データを含む送信データを携帯端末３０に送信する／しないモードに切り替えるスイッチを備えていても良い。
また、上述してきたラベル印刷装置１は、上記実施の形態に限らず、広義のラベル印刷装置を含む。例えば、カシオ計算機株式会社（登録商標）の製品である「ネームランド」や「メモプリ」を含む。
【００７３】
以上、本発明の実施の形態を、図面を参照しながら説明してきたが、上述してきた本発明の実施の形態は、ラベル印刷装置の一機能としてハードウェアまたはＤＳＰ（Digital Signal Processor）ボードやＣＰＵボードでのファームウェアもしくはソフトウェアにより実現することができる。
【００７４】
また、本発明が適用されるラベル印刷装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７５】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、ラベル印刷装置に供給し、そのラベル印刷装置のコンピュータがプログラムを読み出し実行することによっても、達成されることは言うまでもない。
【００７６】
この場合、可搬記録媒体等から読み出されたプログラム自体が本発明の新規な機能を実現することになり、そのプログラムを記録した可搬記録媒体等は本発明を構成することになる。
【００７７】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリカード、ＲＯＭカード、電子メールやパソコン通信等のネットワーク接続装置（言い換えれば、通信回線）を介して記録した種々の記録媒体などを用いることができる。
【００７８】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００７９】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００８０】
すなわち、本発明は、以上に述べた実施の形態に限定されるものではなく、本発明の要旨を逸脱しない範囲内で種々の構成または形状を取ることができる。
【符号の説明】
【００８１】
１        ラベル印刷装置
２        装置筐体
２ａ      排出口
３        入力部
４        表示部
５        制御部
６        ＲＯＭ（Read Only Memory）
７        ＲＡＭ（Random Access Memory）
８        表示部駆動回路
９        ヘッド駆動回路
１１      搬送用モータ駆動回路
１２      搬送用モータ
１３      搬送ローラ
１４      カッターモータ駆動回路
１５      カッターモータ
１６      カット機構
１７      開閉蓋
１７ａ    ボタン
１７ｂ    窓部
１８      カセット収納部
１９      サーマルヘッド部
２０      通信部
３０      携帯端末
３１      制御部
３２      ＲＯＭ（Read Only Memory）
３３      ＲＡＭ（Random Access Memory）
３４      タッチ操作部
３５      表示部
３６      通信部
３７      電話部
３８      報知部
３９      カメラ部
４１      印刷データ入力手段
４２      判断手段
４３      データ作成手段
４４      データ送信手段
４５      ラベル情報作成手段
４６      印刷手段
４７      受信成功情報受信手段
Ｍ        被印刷媒体
【図１】
2017170686.tif 000003
【図２】
2017170686.tif 000004
【図３】
2017170686.tif 000005
【図４】
2017170686.tif 000006
【図５】
2017170686.tif 000007
【図６】
2017170686.tif 000008
【図７】
2017170686.tif 000009